(57)【要約】【課題】仮設足場で空気動工具等を使用する際に、エアーホースの引き回し作業が極めて容易になる仮設足場用エアーホース係止具を提供する。【解決手段】仮設足場の鋼管側面に着脱自在に連結する連結体２０を設ける。該連結体２０に設けられエアーホースを係止する係止体１０を設ける。係止体１０にエアーホースＰを側面から挿入する挿入口１１を形成する。挿入口１１から挿入したエアーホースＰの側面を係止する係止部１２を形成する。連結体２０の連結位置の変更に伴ってエアーホースＰの仮止め位置が変更される。【選択図】  図１
2018123469.tif 000002
【特許請求の範囲】
【請求項１】
建築工事用仮設足場の鋼管側面に着脱自在に連結する連結体と、該連結体に設けられ空気動工具やスプレーガンに接続されたエアーホースを係止する係止体とを備え、仮設足場の鋼管にエアーホースを仮止めする仮設足場用エアーホース係止具であって、前記係止体は、前記エアーホースを側面から挿入せしめる挿入口と、該挿入口内に挿入した前記エアーホースの側面を係止する係止部とを備え、前記係止体及び前記連結体を作業者が携帯する大きさに構成し、前記連結体の連結位置の変更に伴って、前記係止部に係止する前記エアーホースの仮止め位置が変更されるように設けたことを特徴とする仮設足場用エアーホース係止具。
【請求項２】
前記係止体は、前記挿入口に揺動自在に設けられ該挿入口を開閉するゲート部を備え、該ゲート部を介して挿入した前記エアーホースの側面を前記係止部で係止するように構成した請求項１記載の仮設足場用エアーホース係止具。
【請求項３】
前記連結体は、くさび緊結式足場の支柱に予め溶接されている緊結部内に着脱自在にはめ込む楔形状を成した連結部と、該連結部に前記係止部を固定する固定部とを備え、くさび緊結式足場の使用されていない緊結部に前記連結部を連結するように構成した請求項１記載の仮設足場用エアーホース係止具。
【請求項４】
前記固定部は、内筒と外筒とから成る回動自在な二重筒状に構成され、該固定部を介して前記係止体を前記連結部に回動自在に固定した請求項３記載の仮設足場用エアーホース係止具。
【発明の詳細な説明】
【技術分野】
【０００１】
本発明は、建築工事用の空気動工具や吹付塗装用のスプレーガンなどを仮設足場で使用する際に、エアーコンプレッサーに接続されたエアーホースの引き回し作業を容易にする仮設足場用エアーホース係止具に関するものである。
【背景技術】
【０００２】
建築工事用の空気動工具として、ナットランナーや釘打ち機等のエアー式工具、あるいは吹付塗装用のスプレーガンなどは、いずれもエアーコンプレッサーに接続されたエアーホースに接続して使用するものである。ところが仮設足場等でこれらの空気動工具を使用する場合、エアーホースを仮設足場内に引き込んで使用することから、作業位置を移動するごとに、エアーホースも移動する必要がある。そのため、エアーホースの引き回し作業が極めて面倒な作業になっており、この引き回し作業に人員を配置することもある。
【０００３】
そこで、仮設足場でのエアーホースの引き回し作業を容易にするために、従来では、仮設足場の配管を利用して圧縮エアーを供給する各種の配管ユニットが提案されている。
【０００４】
特許文献１に記載のエアー配管ユニットは、足場に取付ける長尺なユニットケースの内部にエアーホース等を収納し、ユニットケースの外面に圧縮エアー取り出し用接続部を設けたユニットを構成することで、エアーコンプレッサー側のエアーホースとの接続が容易に行えるというものである。
【０００５】
一方、特許文献２に記載の鋼管足場は、上下に連結された鋼管を互いに連通状態にするとともに、連通した鋼管の管内部を気密状態にし、この気密状態の鋼管を連通するエアー通気口を柱部の上下方向の複数箇所に開閉自在に設けたものである。そして、エアー通気口にエアーコンプレッサーからのエアーホースを接続して圧縮空気を送り込むと、柱部内は圧縮空気で充填されるので、この圧縮空気を使用することで、空気動工具のエアーホースの引き回し作業が容易になるというものである。
【先行技術文献】
【特許文献】
【０００６】
【特許文献１】特許第２５４９２３２号公報
【特許文献２】特開２００６-１３２２５１号公報
【発明の概要】
【発明が解決しようとする課題】
【０００７】
ところが、これら従来の配管ユニットは、いずれも仮設足場のパイプに予め配管ユニットを連結して使用するものである。そのため、エアーホースの引き回し作業は少なくなっているが、配管ユニットの着脱作業に多くの手間を要するといった課題があった。しかも、配管ユニットの製造が高価になり、作業コストが上昇する課題もある。
【０００８】
そこで本発明は上述の課題を解消すべく創出されたもので、空気動工具やスプレーガンなどを仮設足場で使用する際に、エアーコンプレッサーに接続されたエアーホースの引き回し作業を極めて容易に行うことができ、しかも安価な提供が可能な仮設足場用エアーホース係止具の提供を目的とするものである。
【課題を解決するための手段】
【０００９】
上述の目的を達成すべく本発明における第１の手段は、建築工事用仮設足場の鋼管側面に着脱自在に連結する連結体２０と、該連結体２０に設けられ空気動工具やスプレーガンに接続されたエアーホースＰを係止する係止体１０とを備え、仮設足場の鋼管にエアーホースＰを仮止めする仮設足場用エアーホース係止具であって、前記係止体１０は、前記エアーホースＰを側面から挿入せしめる挿入口１１と、該挿入口１１内に挿入した前記エアーホースＰの側面を係止する係止部１２とを備え、前記係止体１０及び前記連結体２０を作業者が携帯する大きさに構成し、前記連結体２０の連結位置の変更に伴って、前記係止体１０に係止する前記エアーホースＰの仮止め位置が変更されるように設けたことにある。
【００１０】
第２の手段において、前記係止体１０は、前記挿入口１１に揺動自在に設けられ該挿入口１１を開閉するゲート部１３を備え、該ゲート部１３を介して挿入した前記エアーホースＰの側面を前記係止部１２で係止するように構成したものである。
【００１１】
第３の手段の前記連結体２０は、くさび緊結式足場の支柱Ｑに予め溶接されている緊結部Ｑ１内に着脱自在にはめ込む楔形状を成した連結部２１と、該連結部２１に前記係止部１０を固定する固定部２２とを備え、くさび緊結式足場の使用されていない緊結部Ｑ１に連結部２１を連結するように構成したものである。
【００１２】
第４の手段の前記固定部２２は、内筒２２Ａと外筒２２Ｂとから成る回動自在な二重筒状に構成され、該固定部２２を介して前記係止体１０を前記連結部２１に回動自在に固定する構成である。
【発明の効果】
【００１３】
本発明の請求項１によると、鋼管側面に連結する連結体２０と、エアーホースＰを係止する係止体１０とを備え、鋼管の位置を変えて連結する連結体２０の連結位置の変更に伴って、係止部１０に係止するエアーホースＰの仮止め位置が変更されるように構成したことにより、エアーコンプレッサーに接続されたエアーホースの引き回し作業を極めて容易にすることができる。
【００１４】
すなわち、作業員は、鋼管側面に連結する連結体２０の位置を変えることでエアーホースＰの仮止め位置を任意に変更することができる。したがって、従来の配管ユニットのように、配管ユニットの着脱作業に多くの手間を要するといった課題は解消された。この結果、エアーホースＰの引き回しに配置する人員も削減でき、作業の効率化と経費抑制効果が得られる。
【００１５】
また、係止体１０及び連結体２０を作業者が携帯する大きさに構成しているので、作業者の移動に伴って最も作業し易い位置にエアーホースＰを仮止めすることが可能になる。したがって、従来の配管ユニットのごとく予め装着した配管ユニットの位置に制限される不都合もなくなり、作業効率を更に高めることができる。しかも、従来の配管ユニットに比べて極めて安価な提供が可能である。
【００１６】
請求項２のように、挿入口１１に揺動自在に設けられ該挿入口１１を開閉するゲート部１３を備え、該ゲート部１３を介して挿入したエアーホースＰの側面を係止部１２で係止するように構成したことで、このゲート部１３が係止部１２に係止したエアーホースＰの脱落を防止する。したがって、エアーホースＰに圧縮空気を送る際にエアーホースＰが暴れても係止体１０から脱落する虞がなく、エアーホースＰの仮止め位置を確実に保持することができる。
【００１７】
請求項３のごとく、連結体２０は、くさび緊結式足場の緊結部Ｑ１内に着脱自在にはめ込む楔形状を成した連結部２１を備え、くさび緊結式足場の使用されていない緊結部Ｑ１に連結部２１を連結するように構成したことで、連結体２０を支柱Ｑに連結する作業や、連結位置の選択作業が極めて容易になる。この結果、作業員は緊結部Ｑ１内に連結部２１をはめ込むだけの簡単な作業で連結体２０を確実に固定することができる。
【００１８】
請求項４のように、固定部２２は、内筒２２Ａと外筒２２Ｂとから成る回動自在な二重筒状に構成され、該固定部２２を介して前記係止体１０を前記連結部２１に回動自在に固定する構成により、係止体１０に係止したエアーホースＰの向きを変更することが可能になる。したがって、エアーホースＰをストレスのない向きで係止できるようになり、作業能率を高めることができる。
【図面の簡単な説明】
【００１９】
【図１】本発明の一実施例を示す平面図である。
【図２】本発明の一実施例を示す使用状態の分解斜視図である。
【図３】本発明の他の実施例を示す分解斜視図である。
【図４】図３に示す実施例の縦断面図である。
【図５】図３に示す実施例の横断面図である。
【図６】図３に示す実施例の使用状態の分解斜視図である。
【図７】本発明の使用状態を示す概略図である。
【発明を実施するための形態】
【００２０】
本発明によると、空気動工具やスプレーガンなどを仮設足場で使用する際に、エアーコンプレッサーに接続されたエアーホースの引き回し作業を極めて容易にすることができるなどといった当初の目的を達成した。
【００２１】
以下、本発明の実施例を説明する。本発明係止具は、仮設足場で使用する空気動工具やスプレーガンに接続されたエアーホースＰを鋼管に仮止めする係止具であり、係止体１０と連結体２０とで作業者が携帯する大きさに構成している。
【００２２】
すなわち、係止体１０はエアーホースＰを係止する部材で、連結体２０は仮設足場の鋼管側面に係止体１０を着脱自在に連結する部材である。そして、鋼管の位置を変えて連結体２０を連結すると、この連結位置の変更に伴って、係止部１０に係止するエアーホースＰの仮止め位置が簡単に変更されるように構成したものである。
【００２３】
係止体１０は、エアーホースＰを側面から挿入する挿入口１１と、該挿入口１１内に挿入したエアーホースＰの側面を係止する係止部１２とを備えている。図示例では、挿入口１１にゲート部１３を設けた所謂カラビナ形状の係止体１０を示している（図１参照）。このゲート部１３は、杆体状の一端を挿入口１１の一端に揺動自在に設けたもので、このゲート部１３を開閉することで、係止部１２内にエアーホースＰの側面を着脱自在に係止するように構成している。この係止体１０の形状は図示例に限定されるものではなく、例えば、係止部１２を渦巻き状に形成し、この間隙を挿入口１１とするなど、挿入口１１や係止部１２の形状やサイズ、あるいはゲート部１３の有無等は、任意に選択することが可能である。
【００２４】
一方、連結体２０は、仮設足場の鋼管側面に着脱自在に連結する部材である。図示の連結体２０は、楔形状を成した連結部２１と、この連結部２１に係止体１０を固定する固定部２２とを備えている（図２参照）。連結部２１は、くさび緊結式足場の支柱Ｑに予め溶接されている平面コ字状の緊結部Ｑ１内に着脱自在にはめ込む楔形状を成している。そして、くさび緊結式足場で使用されていない緊結部Ｑ１を選択して連結部２１を打ち込んで連結する。
【００２５】
また、固定部２２は、連結部２１に係止体１０を固定する部位である。図示の固定部２２は、連結部２１の上部側面に固着された筒状を成している（図２参照）。この固定部２２は、緊結部Ｑ１に打ち込んで連結した連結部２１を外す際に、下から叩き上げる部位にもなっている。
【００２６】
更に、固定部２２を回動自在に設けることで、連結部２１に連結する係止体１０の向きを変更できるように構成することができる（図３〜６参照）。図示の固定部２２は、内筒２２Ａと外筒２２Ｂとを備えた回動自在な二重筒状に構成したものである（図３参照）。そして、内筒２２Ａの側面に回転溝部２２Ａａを形成し、この回転溝部２２Ａａに沿って係合する係合突起２２Ｂａを外筒２２Ｂに設けている（図４参照）。
【００２７】
そして、連結部２１に内筒２２Ａを溶接し、固着し、外筒２２Ｂに係止体１０を固着すると、係止体１０は、外筒２２Ｂと共に内筒２２Ａの回転溝部２２Ａａに沿って回動自在になるものである（図５参照）。図示例では、内筒２２Ａを連結部２１に溶接しているが、外筒２２Ｂを連結部２１に溶接することも可能である。
【００２８】
本発明の使用方法は、作業者が作業する近くの緊結部Ｑ１を選択して連結体２０を連結した後、係止体１０にエアーホースＰを係止することでエアーホースＰを仮止めするものである（図７参照）。
【００２９】
尚、この連結体２０の構成は図示例に限られるものではなく、仮設足場の鋼管側面に着脱自在に連結可能な構成から任意の構成を選択することができる。例えば、鋼管側面に巻き付けるベルト状の連結体２０や、鋼管側面に挟着するクリップ状の連結体２０など、鋼管の側面に着脱自在に連結できる任意の構成から選択することができる。
【符号の説明】
【００３０】
Ｐ  エアーホース
Ｑ  支柱
Ｑ１  緊結部
１０  係止体
１１  挿入口
１２  係止部
１３  ゲート部
２０  連結体
２１  連結部
２２  固定部
２２Ａ  内筒
２２Ａａ  回転溝部
２２Ｂ  外筒
２２Ｂａ  係合突起
【図１】
2018123469.tif 000003
【図２】
2018123469.tif 000004
【図３】
2018123469.tif 000005
【図４】
2018123469.tif 000006
【図５】
2018123469.tif 000007
【図６】
2018123469.tif 000008
【図７】
2018123469.tif 000009